(57)【要約】【課題】化粧料の形態を問わずに使用時に冷感や温感を感じることができる化粧用パフを提供する。【解決手段】蓄熱物質、吸熱物質及び発熱物質から選択された１種又は２種以上を、含浸、スプレー、塗布又は捺染のいずれかの方法により、パフの少なくとも表面に含有させる。【選択図】図５
2013202335.tif 000002
【特許請求の範囲】
【請求項１】
樹脂発泡体及び／又は繊維製品からなる化粧用パフであって、
蓄熱物質、吸熱物質及び発熱物質から選択された１種又は２種以上を、含浸、スプレー、塗布又は捺染のいずれかの方法により、パフの少なくとも表面に含有させたことを特徴とする化粧用パフ。
【請求項２】
前記蓄熱物質が２０〜４０℃に融点を有する溶融する蓄熱物質をマイクロカプセル化した物質であることを特徴とする、請求項１に記載の化粧用パフ。
【請求項３】
前記吸熱物質が糖アルコールであることを特徴とする、請求項１に記載の化粧用パフ。
【請求項４】
前記繊維製品が立毛布帛であることを特徴とする、請求項１〜３のいずれか１項に記載の化粧用パフ。
【請求項５】
樹脂発泡体及び／又は繊維からなる化粧用パフを予め形成し、この化粧用パフの少なくとも表面に含浸、スプレー、塗布又は捺染のいずれかの方法により前記冷感及び／又は温感付与剤を付与することにより請求項１〜４のいずれか１項に記載の化粧用パフを製造することを特徴とする、化粧用パフの製造方法。
【発明の詳細な説明】
【技術分野】
【０００１】
本発明は、化粧用パフ（以下、単に「パフ」ともいう）及びその製造方法に関する。より詳細には、そのパフを用いて化粧料を皮膚に塗布する際に、冷感や温感が感じられる温度感覚調整化粧用パフ及びその製造方法に関する。
【背景技術】
【０００２】
近年の夏季の記録的な気温上昇や、節電機運の高まりにより、高温環境下で化粧する際の不快感や、発汗による化粧性の低下（化粧くずれ）に対する対策が、従来よりも大きな課題となっている。
【０００３】
従来は、化粧時に冷感を得るためには、エチルアルコール、糖アルコール類などの吸熱性を有する薬剤を化粧料へ添加するのが一般的な方法であった。これは化粧料の一部が揮発することによって冷感を生じるしくみであるため、適用されるのは原則として液状化粧料に限られていた。
【０００４】
これに対し、近年、化粧用パフに水分との接触で吸熱反応を生じる吸熱性物質を付与して、冷感を生じさせる試みがなされている。例えば、特許文献１には、そのような吸熱性物質をパフ本体内に含有させ、化粧水の使用時に冷感を感じさせる化粧用パフが開示されている。また、特許文献２には、蓄熱性粒子を分散させたフォーム材からなる化粧用パフが開示されている。
【０００５】
しかし、特許文献１に記載されたパフでは、パフの厚み方向中央部に吸熱物質が内包され、この吸熱物質に化粧水が到達しないと冷感が得られないという制約がある。従って、化粧水のような液状化粧料以外では効果が得られず、しかも十分な量の化粧料を使用しないと効果が得られないという問題があった。
【０００６】
また、特許文献２に記載されたパフでは、特許文献１のものと異なり、化粧料の形態にかかわらず効果が得られるが、蓄熱性粒子がパフ全体に均一に分散しており、表面付近の蓄熱性粒子しか調温機能に寄与しないため、十分な効果を得るためには相当の添加量を要し、コストも高くつくという問題があった。
【先行技術文献】
【特許文献】
【０００７】
【特許文献１】特開２００９−２８３９２号公報
【特許文献２】特開２００１−２９９４３８号公報
【発明の概要】
【発明が解決しようとする課題】
【０００８】
本発明は上記に鑑みてなされたものであり、冷感及び／又は温感付与剤（以下、「冷温感付与剤」ともいう）として、蓄熱物質、吸熱物質又は発熱物質を用い、冷感や温感を感じる効果や、設計の自由度が従来よりも高い化粧用パフ、及びその製造方法を提供することを目的とする。
【課題を解決するための手段】
【０００９】
本発明の化粧用発泡体は、上記の課題を解決するために、樹脂発泡体及び／又は繊維製品からなる化粧用パフであって、蓄熱物質、吸熱物質及び発熱物質から選択された１種又は２種以上を、含浸、スプレー、塗布又は捺染のいずれかの方法により、パフの少なくとも表面に含有させたものとする。
【００１０】
上記において、吸熱物質としては例えば糖アルコールを用いることができる。
【００１１】
上記繊維製品としては、例えば立毛布帛を用いることができる。
【００１２】
本発明の製造方法は、樹脂発泡体及び／又は繊維からなる化粧用パフを予め形成し、この化粧用パフの少なくとも表面に、含浸、スプレー、塗布又は捺染のいずれかの方法により冷感及び／又は温感付与剤を付与することにより、本発明の化粧用パフを製造する方法である。
【発明の効果】
【００１３】
本発明の化粧用パフによれば、化粧料が固形状や粉状であっても使用時に冷感が得られ、発汗を抑えて化粧性も向上させることができる。また、高温環境下では冷感が得られ、低温環境下では温感が得られるようにすることもできるため、四季を通じて快適に化粧をすることができる化粧用パフを提供することが可能となる。
【００１４】
特に冷温感付与剤を、含浸、スプレー、塗布又は捺染により、パフの表面に付与することにより、従来よりも少ない冷温感付与剤でより高い効果が得られる。
【図面の簡単な説明】
【００１５】
【図１】比較例のパフと未加工品の温度変化の推移を示すグラフである。
【図２】実施例１のパフと未加工品の温度変化の推移を示すグラフである。
【図３】比較例のパフと実施例１のパフの温度変化の差を示すグラフである。
【図４】実施例２のパフと未加工品の温度変化の推移を示すグラフである。
【図５】実施例３のパフと未加工品の温度変化の推移を示すグラフである。
【発明を実施するための形態】
【００１６】
本発明の化粧用パフは、樹脂発泡体からなるもの、繊維製品からなるもの、これら両者を併用したもの、又は樹脂発泡体に植毛加工をしたもののいずれであってもよい。ここで繊維製品の例としては、織地や編地等の布帛、立毛布帛、不織布等が挙げられる。また、樹脂発泡体と繊維製品を併用したものの例としては、樹脂発泡体を芯材として用い、これを上記のような繊維製品で包含したものが挙げられる。
【００１７】
樹脂発泡体からなるパフは、一般に「スポンジパフ」と称されるものであり、通常は発泡体スラブから切断、研磨等の方法により所望の形状にすることにより得られる。本発明のパフに使用する樹脂発泡体の原料は特に限定されず、従来から化粧用パフの材料として使用されているＮＢＲラテックスゴムスポンジ、ウレタンスポンジなどを適宜使用することができる。但し、冷感を得るためにはポリアミド樹脂発泡体が好ましく、温感を得るためにはポリアクリレート樹脂又はセルロース系樹脂を単独で、あるいは組み合わせて使用した発泡体が好ましい。
【００１８】
また、樹脂発泡体の各種性状、すなわち発泡倍率、気泡形状、気泡径、密度、硬度等も特に限定されず、化粧用パフに使用する用途（スポンジパフなど主材となるものか、パフ芯など副資材、部材となるものか）に応じて、従来品に準じて決定すればよいが、主材とする化粧用パフの場合は、その密度は０．０１ｇ／ｃｍ３〜０．２５ｇ／ｃｍ３が好ましく、０．１０ｇ／ｃｍ３〜０．２０ｇ／ｃｍ３がより好ましい。また、気泡は独立気泡又は連通気泡のいずれでもよく、両者とも孔径は２０〜１０００μｍが好ましく、１００〜４００μｍがより好ましい。
【００１９】
次に繊維製品からなるパフは、通常は布帛や不織布等の繊維製品を所定の形状に切断し、縫製、接着、熱融着等により化粧用パフ形状にすることにより得られる。本発明でこれに使用する繊維製品の原料も特に限定されず、従来から化粧用パフの原料として使用されているものを適宜使用することができる。但し、冷感を得るためにはポリアミド繊維が好ましく、温感を得るためには、ポリアクリレート繊維、再生セルロース系繊維を好適に使用することができる。
【００２０】
また、繊維の繊度、布帛等の目付、通気性、透湿性等も特に限定されず、従来の化粧用パフに準じて決定すればよいが、繊維と皮膚との接触面積が大きいほど、冷感や温感が得られ易いため、毛足の短いものよりも長いベルベットの方が、本発明の効果がより顕著に得られる傾向がある。ナイロン、ポリエステルなどの合繊長繊維糸を用いたベルベット織物の場合は、繊度は６６Ｔから１６７Ｔが好ましく、フィラメント数は９６Ｆから１３６Ｆが好ましく、タテパイル密度としては４０本／ｉｎｃｈ以上が好ましい。また、綿糸やアクリルなどの短繊維を用いたベルベット織物であれば、綿糸で３０／２〜２０／２Ｓ、アクリル糸で２／２４〜２／３２、パイル密度としては１０〜１８本／ｉｎｃｈが好ましい。
【００２１】
次に、本発明で使用する樹脂発泡体に植毛加工をしたパフも特に限定されず、従来から使用されているものを使用できる。樹脂発泡体の好ましい条件は上記と同様であり、植毛する繊維の好ましい条件についても同様である。植毛方法としては、静電植毛加工（フロック加工）等の公知の方法が利用できる。
【００２２】
本発明では、冷温感付与剤として、蓄熱物質、吸熱物質又は発熱物質を用いる。本明細書において、「蓄熱物質」とは、液体−固体間の相変化に伴い可逆的に吸熱及び発熱を行う物質をいい、「吸熱物質」とは吸湿・吸水に伴い溶解熱（水和熱）を吸熱する物質をいい、「発熱物質」とは吸湿・吸水に伴い溶解熱（水和熱）を発熱する物質をいうものとする。
【００２３】
蓄熱物質としては、２０〜４０℃に融点を有する蓄熱物質をマイクロカプセル化した物質が好適に用いられる。このように体温付近に融点を有する蓄熱物質をマイクロカプセル化した物質を用いることにより、夏季等の高温時には冷感が得られ、冬期等の低温時には温感が得られるようにすることができる。そのような蓄熱物質としては、安全性が高い点等からカルボン酸エステルやパラフィンワックス、植物油類などが好ましく、その中で上記範囲に融点を有するものとしては、ステアリン酸ブチル、オクチルドデカノール、ヤシ脂、マンゴー種子脂、ホホバ脂などが挙げられる。
【００２４】
吸熱物質の例としては、キシリトール、エリスリトール、ソルビトール等の糖アルコール、リポソームなどが挙げられる。糖アルコールは人の汗の水分と反応して吸熱する吸湿吸熱特性を有し、安全性が高い点等から好適に用いられる。
【００２５】
発熱物質の例としては、イソブチレン・無水マレイン酸コポリマーや硫酸マグネシウムなどが挙げられる。
【００２６】
なお、これらの冷温感付与剤は、必要に応じて２種以上を併用することもできる。
【００２７】
上記のような冷温感付与剤をパフに付与するには、樹脂発泡体又は繊維製品の原料に冷温感付与剤を配合したのち、パフを形成する方法（以下、「内添」ともいう）も用いることができるが、樹脂発泡体及び／又は繊維からなる化粧用パフを予め形成し、この化粧用パフに外から冷温感付与剤を付与する方法（以下、「後加工」ともいう）が、より少量の冷温感付与剤で高い効果が得られることや、上記内添より簡便で、設計の自由度が高いこと等から好ましい。また必要に応じて、両方法を併用することもできる。
【００２８】
後加工の具体的方法としては、含浸、スプレー、塗布、捺染等のいずれの方法も使用することができる。
【００２９】
上記冷温感付与剤の付与量としては、その種類にもよるが、目安としては、上記パラフィンのマイクロカプセルであると、１〜１０ｇ／ｃｍ２が好ましい。また、上記キシリトール等の糖アルコールの場合も、１〜１０ｇ／ｃｍ２が好ましい。
【００３０】
本発明の化粧パフによれば、パフの少なくとも表面付近に冷温感付与剤が存在するため、化粧料の形態にかかわらず、冷温感付与剤の使用量が従来よりも少量でも、使用時に適度な冷感や温感が感じられ、かつ良好な化粧効果を得ることが可能となる。
【００３１】
本発明の化粧用パフには、化粧用パフに通常用いられることのある添加物、例えば抗菌剤、防カビ剤、紫外線吸収剤、酸化防止剤、老化防止剤等を付与することもでき、その場合、冷温感付与剤とそれらの添加物を同時に付与することもできる。
【実施例】
【００３２】
以下、実施例により本発明をさらに具体的に説明するが、本発明は以下の実施例に限定されるものではない。また、特にことわらない限り、「部」は「質量部」、「％」は「質量％」を示すものとする。
【００３３】
［比較例］
一般的に知られるラテックススポンジの製造法であるダンロップ法によって、下記の通り、樹脂発泡体を得た。
【００３４】
〈樹脂発泡体処方〉
樹脂成分（日本ゼオン（株）製、ニポールＬＸ５３１、固形分６６％）  １００質量部
亜鉛華（正同化学（株）製、５０％水分散体）                            ２質量部
硫黄（軽井沢精錬所（株）製、粉末硫黄、５０％水分散体）            １．５質量部
ジチオカルバミン酸系加硫促進剤
（大内新興化学（株）製、ノックセラーＥＺ、３０％水分散体）    ０．８質量部
チアゾール系促進剤
（大内新興化学（株）製、ノックセラーＭＺ、３０％水分散体）        １質量部
オレイン酸カリウム（花王（株）製、ＦＲ１４、５０％水溶液）            １質量部
フェノール系酸化防止剤
（吉冨製薬（株）製、ヨシノックス２２４６Ｇ、５０％水分散体）      １質量部
塩化エチル・ホルムアルデヒド・アンモニア反応物
（ユニロイヤル（株）製、トリメンベース、５０％水分散体）
ゲル化剤・ケイフッ化ソーダ（三井東圧化学（株）製、５０％水分散体）    ３質量部
顔料                                                                    適量
マイクロカプセル化パラフィン
（三木理研工業（株）製、ＰＭＣＤ-２５ＫＲ、有効成分約４０％）  １０質量部
【００３５】
上記処方から亜鉛華及びゲル化剤を除いた配合物を調製し、空気を気泡源として発泡しながら、亜鉛華及びゲル化剤を連続的に注入し、得られた発泡エマルジョンを直ちに金型に注入し、凝固させた。得られた樹脂組成物を蒸気加硫釜に入れ、１３０℃で３０分加硫させ、発泡体を得た。得られた発泡体（連続気泡体）は、発泡倍率が４．５倍、気泡径が２２０μ、密度が０．１５３ｇ／ｃｍ３、硬度がＦ型硬度計で５０であった。
【００３６】
この発泡体から厚み８．５ｍｍ、径が５２ｍｍφの化粧用パフを形成し、５人のパネラーＡ〜Ｅによって、下記処方の一般的な粉末固形ファウンデーションを皮膚に塗布した際の感覚を以下の基準で評価した。その結果を表１に示す。
【００３７】
〈粉末固形ファウンデーション処方〉
粉  体：
タルク              ２０．３％（質量％、以下同様）
マイカ              ３５．０％
カオリン              ５．０％
二酸化チタン        １０．０％
雲母チタン            ３．０％
ステアリン酸亜鉛      １．０％
顔料                  ４．２％
ナイロンパウダー    １０．０％
結合剤：
スクワラン            ６．０％
酢酸ラノリン          １．０％
ミリスチン酸オクチルドデシル    ２．０％
ジイソオクタン酸ネオペンチルグリコール    ２．０％
モノオレイン酸ソルビタン    ０．５％
【００３８】
〈使用感評価基準〉
２点  …  冷感を明確に感じる
１点  …  冷感をなんとなく感じる
０点  …  冷感をまったく感じない
【００３９】
〈温度変化の測定〉
また、上記の通り製造して冷温感加工を行ったパフと、マイクロカプセル化パラフィンを添加しなかった（冷温感加工を行っていない）以外は同様にして製造したパフ（以下、未加工品と呼ぶ）とを用意し、２５℃、４０％ＲＨの環境のもとで温度変化の測定を行った。温度変化の測定は、肌とパフが触れた時の接触涼感性を評価するために、試料に水を滴下した後、３２℃に加温した熱電対温度計の感温部を試料に接触させて実施した。測定は開始から１０秒ごとに３分間行った。温度変化の推移を図１に示す。さらに、上記温度測定中の比較例のパフと未加工品との最大温度差を表２に示す。
【００４０】
［実施例１］
上記マイクロカプセルを配合しなかった以外は上記実施例１と同様にして樹脂発泡体からなるパフを形成し、マイクロカプセル化パラフィン（三木理研工業株式会社製、ＰＭＣＤ-２５ＫＲ）５部と、シリコン樹脂バインダー（大原パラヂウム株式会社製  パラレヂンＰＳ−２００、固形分：２０％）３部と水９２部の溶液に浸漬して軽く絞り、８０℃で１時間乾燥させて化粧用パフを得た。
【００４１】
得られた化粧用パフにつき、上記実施例１と同様にパネラーによる評価を行った結果を表１に示す。また、上記熱電対温度計による、未加工品との比較における温度変化の推移を図２に、比較例との比較における温度変化の推移を図３に示す。さらに、未加工品との最大温度差を表２に示す。
【００４２】
［実施例２］
上記マイクロカプセルを配合しなかった以外は上記実施例１と同様にして樹脂発泡体からなるパフを形成し、吸湿吸熱剤（大原パラヂウム化学株式会社製、パラクールＩＤ−８、エリスリトール・キシリトール含有エマルジョン、固形分５２％）５部と水９５部の溶液に浸漬して軽く絞り、８０℃で１時間乾燥させて化粧用パフを得た。
【００４３】
上記実施例１と同様に、パネラーによる評価を行った結果を表１に示す。また、熱電対温度計による未加工品との比較における温度変化の推移を図４に示す。さらに、未加工品との最大温度差を表２に示す。
【００４４】
［実施例３］
立毛布帛としてポリエステル繊維からなる目付５００ｇ／ｍ２、パイル長３．８ｍｍのベルベット織物を２枚縫い合わせて、表面が立毛した化粧用パフを形成した。このパフを上記実施例２と同じ吸湿吸熱剤（大原パラヂウム化学株式会社製、パラクールＩＤ−８）５部と水９５部の溶液に浸漬して軽く絞り、８０℃で１時間乾燥させて化粧用パフを得た。
【００４５】
上記実施例１と同様に、パネラーによる評価を行った結果を表１に示す。また、熱電対温度計による未加工品との比較における温度変化の推移を図５に示す。さらに、未加工品との最大温度差を表２に示す。なお、比較対象としては上記の通り形成した立毛布帛のパフの未加工品を用いた。
【００４６】
【表１】
2013202335.tif 000003
【００４７】
【表２】
2013202335.tif 000004
【００４８】
上記表１及び２、並びに図１〜５に示された結果から、後加工による化粧用パフは、未加工品はもちろん、内添を行った比較例のパフと比べても冷感付与効果が明らかに高いことが分かる。
【産業上の利用可能性】
【００４９】
本発明の化粧用パフは、液状のみならず、固形状、粉末状等の各種形態の化粧料に使用することができる。
【図１】
2013202335.tif 000005
【図２】
2013202335.tif 000006
【図３】
2013202335.tif 000007
【図４】
2013202335.tif 000008
【図５】
2013202335.tif 000009